(57)【要約】【課題】  ２つのＵＳＢコネクタを設けた携帯端末の構成にあって、携帯端末とデータ装置との直接接続状態および携帯端末を充電器に置いた状態でも、充電およびＵＳＢ通信ができる携帯端末を提供する。【解決手段】  ＡＲＩＢ−Ａコネクタ３は、携帯端末１００とデータ装置とをＵＳＢケーブルで直接接続するためのものである。充電器用端子５は、携帯端末１００を充電器２００に置いた状態で、充電器２００に接続されたデータ装置およびＡＣアダプタと接続するためのものである。ＡＲＩＢ−Ａコネクタ３にデータ装置が接続された場合、トランジスタ１９をオンにして、データ装置からのＵＳＢ電力で電池２３を充電すると共に、ＵＳＢ通信制御部１８でＵＳＢ通信を行う。携帯端末１００が充電器２００に置かれた場合、トランジスタ２０をオンにして、ＡＣアダプタ電力で電池２３を充電すると共に、ＵＳＢ通信制御部１８でＵＳＢ通信を行う。【選択図】  図２
2008027147.tif 000002
【特許請求の範囲】
【請求項１】
データ装置との間で第１のＵＳＢ電力の供給を受けると共に第１のＵＳＢデータを接続する第１のコネクタと、
充電器との間で第２のＵＳＢ電力およびＡＣアダプタ電力の供給を受けると共に第２のＵＳＢデータを接続する第２のコネクタと、
前記第１のＵＳＢデータ又は第２のＵＳＢデータの処理を行うＵＳＢ通信手段と、
二次電池と、
前記二次電池に充電を行う充電回路と、
前記第１のＵＳＢ電力又はＡＣアダプタ電力を検出し、第１のＵＳＢ電力を検出した場合に第１のＵＳＢ電力を前記充電回路に供給し、ＡＣアダプタ電力を検出した場合にＡＣアダプタ電力を前記充電回路に供給する充電電力制御手段とを
具備することを特徴とする携帯端末。
【請求項２】
データ装置との間で第１のＵＳＢ電力の供給を受けると共に第１のＵＳＢデータを接続する第１のコネクタと、
充電器との間で第２のＵＳＢ電力およびＡＣアダプタ電力の供給を受けると共に第２のＵＳＢデータを接続する第２のコネクタと、
前記第１のＵＳＢデータ又は第２のＵＳＢデータの処理を行うＵＳＢ通信手段と、
二次電池と、
前記二次電池に充電を行う充電回路と、
前記第１のＵＳＢ電力、第２のＵＳＢ電力、又はＡＣアダプタ電力を検出し、第１のＵＳＢ電力を検出した場合に第１のＵＳＢ電力を前記充電回路に供給し、第２のＵＳＢ電力のみを検出した場合に第２のＵＳＢ電力を前記充電回路に供給し、ＡＣアダプタ電力を検出した場合にＡＣアダプタ電力を前記充電回路に供給する充電電力制御手段とを
具備することを特徴とする携帯端末。
【請求項３】
前記ＵＳＢ通信手段は、前記第１のＵＳＢデータおよび第２のＵＳＢデータのインターフェース処理を行うＵＳＢトランシーバと、ＵＳＢ通信処理を行うＵＳＢ制御手段を有し、
前記ＵＳＢトランシーバは、前記第１のＵＳＢ電力又は第２のＵＳＢ電力から電源供給を受けることを特徴とする請求項１又は２に記載の携帯端末。
【請求項４】
前記第１のコネクタおよび第２のコネクタは、前記充電器と向き合う携帯端末の底面に搭載されることを特徴とする請求項１又は２に記載の携帯端末。
【請求項５】
データ装置との間で第１のＵＳＢ電力の供給を受けると共に第１のＵＳＢデータを接続する第１のコネクタと、
充電器との間で第２のＵＳＢ電力およびＡＣアダプタ電力の供給を受けると共に第２のＵＳＢデータを接続する第２のコネクタと、
前記第１のコネクタおよび第２のコネクタは、前記充電器と向き合う携帯端末の底面に搭載されることを特徴とする携帯端末。
【発明の詳細な説明】
【技術分野】
【０００１】
本発明は、携帯端末単独状態および携帯端末を充電器に置いた状態でも、外部のデータ装置との間でＵＳＢ通信と充電が同時にできる携帯端末に関する。
【背景技術】
【０００２】
（背景技術１）
携帯電話機を充電器に置いた状態で、携帯電話機の内蔵バッテリに充電しながらＵＳＢ通信ができる充電器及び携帯電話機がある（例えば、特許文献１参照。）。この携帯電話機とパーソナルコンピュータ（外部装置）との間のＵＳＢ通信は、充電器のＵＳＢポートを介して行われる。携帯電話機への充電は、充電器に接続された商用電源からのみ行われる。
【０００３】
（背景技術２）
充電およびＵＳＢ通信ができる携帯型電子機器がある（例えば、特許文献２参照。）。この携帯型電子機器とパーソナルコンピュータはＵＳＢポートで接続されて、ＵＳＢ通信が行われると共に、パーソナルコンピュータから供給される電力で携帯型電子機器の内蔵バッテリが充電される。また、携帯型電子機器にチャージ電源が接続されて、携帯型電子機器は交流電源からも携帯型電子機器の内蔵バッテリに充電される。両者の充電は切り替えられる。
【特許文献１】特許第３５５６４８６号公報（頁３〜頁４、図１、図２）
【特許文献２】特開２００１−２０２１６３号公報（頁４〜頁６、図１、図２）
【発明の開示】
【発明が解決しようとする課題】
【０００４】
背景技術１には、パーソナルコンピュータからの電力供給で携帯電話機へ充電する記載はない。背景技術２には、ＵＳＢポートを２個搭載した場合の記載がない。  
携帯端末は、充電器に置いた状態で、商用電源から充電しながらパーソナルコンピュータとの間でＵＳＢ通信が行えることが望まれる。また、携帯端末は持ち運び自由であり、充電器のない状態でも、パーソナルコンピュータと直接にＵＳＢ接続して、パーソナルコンピュータから電源供給を受けて充電しながら、ＵＳＢ通信が行えることが望まれる。
【０００５】
このパーソナルコンピュータと直接接続用の第１のＵＳＢコネクタが携帯端末の下面に搭載された場合、携帯端末を充電器に置くと、第１のＵＳＢコネクタが隠れてしまい、ＵＳＢ通信ができないという問題がある。その対策として、携帯端末を充電器に置いた状態でも使用できる専用の別の第２のＵＳＢ接続コネクタを携帯端末に設けることが考えられる。この２つのＵＳＢコネクタを設けた携帯端末の構成にあって、携帯端末とパーソナルコンピュータとの直接接続状態で充電およびＵＳＢ通信ができると共に、携帯端末を充電器に置いた状態で充電およびＵＳＢ通信ができる携帯端末を提供することを目的とする。
【課題を解決するための手段】
【０００６】
上記目的を達成するために、本発明の携帯端末は、データ装置との間で第１のＵＳＢ電力の供給を受けると共に第１のＵＳＢデータを接続する第１のコネクタと、充電器との間で第２のＵＳＢ電力およびＡＣアダプタ電力の供給を受けると共に第２のＵＳＢデータを接続する第２のコネクタと、前記第１のＵＳＢデータ又は第２のＵＳＢデータの処理を行うＵＳＢ通信手段と、二次電池と、前記二次電池に充電を行う充電回路と、前記第１のＵＳＢ電力又はＡＣアダプタ電力を検出し、第１のＵＳＢ電力を検出した場合に第１のＵＳＢ電力を前記充電回路に供給し、ＡＣアダプタ電力を検出した場合にＡＣアダプタ電力を前記充電回路に供給する充電電力制御手段とを具備することを特徴とする。
【発明の効果】
【０００７】
本発明によれば、２つのＵＳＢコネクタを設けた携帯端末の構成にあって、携帯端末とパーソナルコンピュータとの直接接続状態で充電およびＵＳＢ通信ができると共に、携帯端末を充電器に置いた状態で充電およびＵＳＢ通信が可能となる。
【発明を実施するための最良の形態】
【０００８】
以下、本発明の実施例を、図面を参照して説明する。  
図１は、本発明の各実施例に係る携帯端末および充電器の外観図である。  
（ａ）は、携帯端末１００を充電器２００に置いた時の外観斜視図である。携帯端末１００は、上筐体１と下筐体２が折り畳まれた状態で底面を下にして充電器２００の凹部に置かれる。
【０００９】
（ｂ）は、携帯端末１００の底面斜視図である。（ａ）のＡ−Ａ矢印方向から見た面が底面になる。携帯端末１００の下筐体２の底面には、ＡＲＩＢ−Ａコネクタ３（第１コネクタ）、それを覆うキャップ４、充電器用端子５（第２コネクタ）が配置される。充電器用端子５は、ＵＳＢ−Ｄプラス端子６、ＵＳＢ−Ｄマイナス端子７、ＵＳＢ−ＶＢＵＳ端子８、ＡＣアダプタＶプラス端子９、ＡＣアダプタＶマイナス端子１０を有し、それらは外部に露出している。
【００１０】
ＡＲＩＢ−Ａコネクタ３は、携帯端末１００が単独状態で、パーソナルコンピュータなどの外部データ装置（図示せず）と直接にＵＳＢケーブル（図示せず）で接続するためのコネクタである。接続する時には、キャップ４をめくってＵＳＢケーブルを接続する。そして、携帯端末１００は、外部データ装置からＵＳＢ電力の供給を受けて、携帯端末１００内部の二次電池に充電すると共に、外部データ装置との間でＵＳＢ通信を行う。
【００１１】
充電器用端子５は、携帯端末１００が充電器２００に置かれた状態で、充電器２００と接続するためのコネクタである。充電器用端子５の内のＵＳＢ−Ｄプラス端子６、ＵＳＢ−Ｄマイナス端子７、ＵＳＢ−ＶＢＵＳ端子８は、ＵＳＢ接続用であり、充電器２００を経由して、充電器２００に接続されたパーソナルコンピュータなどの外部データ装置（図示せず）からＵＳＢ電力の供給を受けると共に、この外部データ装置との間でＵＳＢ通信を行う。
【００１２】
充電器用端子５の内のＡＣアダプタＶプラス端子９、ＡＣアダプタＶマイナス端子１０は、ＡＣアダプタによる充電用であり、充電器２００に接続されたＡＣアダプタ（図示せず）からＡＣアダプタ電力の供給を受けて、携帯端末１００内部の二次電池に充電する。
【００１３】
（ｃ）は、充電器２００の外観斜視図である。充電器２００の凹部には、携帯端末１００の充電器用端子５と接続するためのバネ状の接続端子であるＵＳＢ−Ｄプラス端子３６、ＵＳＢ−Ｄマイナス端子３７、ＵＳＢ−ＶＢＵＳ端子３８、ＡＣアダプタＶプラス端子３９、ＡＣアダプタＶマイナス端子４０が配置される。
【００１４】
（ｄ）は、充電器２００の背面図であり、（ｃ）のＢ−Ｂ方向から見た図であり、信号線の接続状態も合わせて記載する。充電器２００の背面には、ＰＣ接続用コネクタ３１、ＡＣアダプタ接続用コネクタ３２が配置される。ＰＣ接続用コネクタ３１は、パーソナルコンピュータなどの外部データ装置（図示せず）とＵＳＢケーブル（図示せず）で接続するためのものである。その信号線は、ＵＳＢ−Ｄプラス端子３６、ＵＳＢ−Ｄマイナス端子３７、ＵＳＢ−ＶＢＵＳ端子３８と接続される。また、ＧＮＤ線は、ＡＣアダプタＶマイナス端子４０に接続され、共通のＧＮＤとなる。
【００１５】
ＡＣアダプタ接続用コネクタ３２は、ＡＣアダプタ（図示せず）と接続するためのものである。その信号線は、ＡＣアダプタＶプラス端子３９、ＡＣアダプタＶマイナス端子４０と接続され、ＡＣアダプタＶマイナス端子４０は、共通のＧＮＤとなる。
【００１６】
この図１の構造によれば、携帯端末１００の目立たない底面に、外部データ装置と直接にＵＳＢケーブルで接続するためのコネクタであるＡＲＩＢ−Ａコネクタ３、および充電器２００を経由して外部データ装置、ＡＣアダプタと接続するためのコネクタである充電器用端子５を設けたことにより、携帯端末１００の底面以外の部分の構造を簡単にすることができ、デザインを向上することができる。
【実施例１】
【００１７】
図２は、本発明の実施例１に係る携帯端末の関連部分の回路図である。携帯端末１００は、ＡＲＩＢ−Ａコネクタ３（第１コネクタ）、充電器用端子５（第２コネクタ）、ダイオード１５、電源回路１６、ＵＳＢトランシーバ１７、ＵＳＢ通信制御部１８、トランジスタ１９、トランジスタ２０、充電電力制御部２１、充電回路２２、二次電池２３などによって構成される。
【００１８】
ＡＲＩＢ−Ａコネクタ３は、外部のデータ装置とＵＳＢケーブルで直接接続するためのコネクタであり、ＵＳＢ−Ｄプラス端子１１、ＵＳＢ−Ｄマイナス端子１２、ＵＳＢ−ＶＢＵＳ端子１３、ＧＮＤ端子１４を有する。ＵＳＢ−Ｄプラス端子１１およびＵＳＢ−Ｄマイナス端子１２は、双方向のＵＳＢデータ信号用の端子である。ＵＳＢ−ＶＢＵＳ端子１３は、外部のデータ装置から電力供給を受ける電源端子である。
【００１９】
充電器用端子５は、外部の充電器２００と接続するためのコネクタであり、図１で説明したＵＳＢ−Ｄプラス端子６、ＵＳＢ−Ｄマイナス端子７、ＵＳＢ−ＶＢＵＳ端子８、ＡＣアダプタＶプラス端子９、ＡＣアダプタＶマイナス端子１０を有する。
【００２０】
充電器用端子５の内、ＵＳＢ−Ｄプラス端子６、ＵＳＢ−Ｄマイナス端子７、ＵＳＢ−ＶＢＵＳ端子８は、ＵＳＢ接続用であり、充電器２００を経由して、外部のデータ装置と接続するための端子である。ＵＳＢ−Ｄプラス端子６、ＵＳＢ−Ｄマイナス端子７は、双方向のＵＳＢデータ信号用の端子である。ＵＳＢ−ＶＢＵＳ端子８は、充電器２００を経由して外部のデータ装置から電力供給を受ける電源端子である。
【００２１】
充電器用端子５の内、ＡＣアダプタＶプラス端子９、ＡＣアダプタＶマイナス端子１０は、ＡＣアダプタによる充電用であり、充電器２００を経由して外部のＡＣアダプタから電力供給を受ける電源端子である。
【００２２】
ダイオード１５は、ＡＲＩＢ−Ａコネクタ３のＵＳＢ−ＶＢＵＳ端子１３と、充電器用端子５のＵＳＢ−ＶＢＵＳ端子８との間に接続される。これは、ＡＲＩＢ−Ａコネクタ３と外部のデータ装置が接続された場合、ダイオード１５がないと、ＵＳＢ−ＶＢＵＳ端子１３からのＵＳＢ電力が充電器用端子５のＵＳＢ−ＶＢＵＳ端子８に達してしまい、外部に露出しているＵＳＢ−ＶＢＵＳ端子８（図１（ｂ）参照）で外部短絡を起こすおそれがあるためである。ダイオード１５で、これを防止する。
【００２３】
なお、携帯端末１００が充電器２００に置かれて、充電器２００を経由して、充電器用端子５と外部のデータ装置とが接続された場合には、ＵＳＢ−ＶＢＵＳ端子８からのＵＳＢ電力がＡＲＩＢ−Ａコネクタ３のＵＳＢ−ＶＢＵＳ端子１３に達するが、ＡＲＩＢ−Ａコネクタ３は、キャップ４（図１（ｂ）参照）で保護されており、更に、充電器２００の凹部に置かれた状態なので、ＵＳＢ−ＶＢＵＳ端子１３が外部短絡を起こすおそれは、機構上ない。
【００２４】
電源回路１６は、ＡＲＩＢ−Ａコネクタ３のＵＳＢ−ＶＢＵＳ端子１３、又は充電器用端子５のＵＳＢ−ＶＢＵＳ端子８からのＵＳＢ電力の供給を受けて、ＵＳＢトランシーバ１７専用の電源として動作する。
【００２５】
ＵＳＢトランシーバ１７は、ＵＳＢデータ信号の外部とのインターフェース用の双方向の入出力バッファである。ＡＲＩＢ−Ａコネクタ３からのＵＳＢデータ信号であるＵＳＢ−Ｄプラス端子１１、ＵＳＢ−Ｄマイナス端子１２と、充電器用端子５からのＵＳＢデータ信号であるＵＳＢ−Ｄプラス端子６、ＵＳＢ−Ｄマイナス端子７はそれぞれ、ワイヤードＯＲされて、ＵＳＢトランシーバ１６と接続される。ＡＲＩＢ−Ａコネクタ３の外部接続と、充電器用端子５の外部接続は、機構上、同時接続はないので、２系統のＵＳＢデータ信号を１個のＵＳＢトランシーバ１７で処理する。  
ＵＳＢ通信制御部１８は、ＵＳＢ通信のための制御を行う。
【００２６】
トランジスタ１９は、ＡＲＩＢ−Ａコネクタ３のＵＳＢ−ＶＢＵＳ端子１３からのＵＳＢ電力を充電回路２２へ供給するためのスイッチである。なお、トランジスタ１９へは、充電器用端子５のＵＳＢ−ＶＢＵＳ端子８からのＵＳＢ電力もダイオード１５を経由して供給されているが、ダイオード１５の電圧降下により充分な電力供給を行えない。従って、ＵＳＢ−ＶＢＵＳ端子８からのＵＳＢ電力をダイオード１５、トランジスタ１９を経由して充電回路２２へ供給することは行わない。トランジスタ２０は、充電器用端子５のＡＣアダプタＶプラス端子９からのＡＣアダプタ電力を充電回路２２へ供給するためのスイッチである。
【００２７】
充電電力制御部２１は、ＵＳＢ−ＶＢＵＳ端子１３、ＵＳＢ−ＶＢＵＳ端子８、およびＡＣアダプタＶプラス端子９の電圧をチェックして、ＡＲＩＢ−Ａコネクタ３からのＵＳＢ電力供給、充電器用端子５のＵＳＢ端子からのＵＳＢ電力供給、充電器用端子５のＡＣアダプタ端子からのＡＣアダプタ電力供給の有無を検出する。そして、トランジスタ１９およびトランジスタ２０を制御して、充電回路２２へ供給する充電電力の切り替え制御を行う。
【００２８】
充電回路２２は、供給された充電電力を定電流定電圧充電などの充電制御を行って、二次電池２３に対して充電を行う。二次電池２３は、充電可能なニッケルリチウム電池などであり、携帯端末１００内の負荷回路へ電力を供給する。
【００２９】
図３は、本発明の実施例１に係る携帯端末のＵＳＢ通信および充電モードにおける動作フローチャートである。主に、充電電力制御部２１、充電回路２２、ＵＳＢ通信制御部１８などが処理を行う。  
充電電力制御部２１は、まず、ＡＲＩＢ−Ａコネクタ３のＵＳＢ−ＶＢＵＳ端子１３の電圧をチェックする（ステップＳ１）。電圧が検出された場合（ＹＥＳ）、これは、充電器用端子５のＵＳＢ−ＶＢＵＳ端子８からのＵＳＢ電力がダイオード１５を経由して検出された可能性もあるので、次に、この充電器用端子５のＵＳＢ−ＶＢＵＳ端子８の電圧をチェックする（ステップＳ２）。この電圧が検出されなければ（ＮＯ）、この時点で、ＡＲＩＢ−Ａコネクタ３の接続が確定されたことになる。ＡＲＩＢ−Ａコネクタ３の接続が確定された場合、機構上、携帯端末１００を充電器２００に置くことができないので、充電器用端子５のＡＣアダプタＶプラス端子９からの充電電力の供給はありえない。
【００３０】
従って、トランジスタ１９をオンにして、ＡＲＩＢ−Ａコネクタ３のＵＳＢ−ＶＢＵＳ端子１３からのＵＳＢ電力を充電回路２２に供給する。充電回路２２は、二次電池２３に対して充電開始する（ステップＳ３）。
【００３１】
そして、ＵＳＢ通信制御部１８は、ＵＳＢ通信を開始する（ステップＳ４）。なお、電源回路１６は、ＡＲＩＢ−Ａコネクタ３のＵＳＢ−ＶＢＵＳ端子１３からのＵＳＢ電力の供給を直接受けて既に動作している。
【００３２】
このように、ＡＲＩＢ−Ａコネクタ３と外部のデータ装置との接続が確定されると、データ装置からのＵＳＢ電力による充電と、データ装置との間のＵＳＢ通信を平行して行うことができ、二次電池の電力消費を押さえて、電池の持ちを良くすることができる。
【００３３】
ステップＳ２で充電器用端子５のＵＳＢ−ＶＢＵＳ端子８の電圧が検出された場合（ＹＥＳ）、この時点で、充電器用端子５のＵＳＢ接続、すなわち、充電器２００を経由して外部のデータ装置の接続が確定されたことになる。この場合は、次に、充電器用端子５のＡＣアダプタＶプラス端子９の電圧をチェックする（ステップＳ５）。
【００３４】
これは、図１で示した構造上、充電器２００には、外部のデータ装置とＡＣアダプタの両方が接続されるためである。ステップＳ５で電圧が検出されれば（ＹＥＳ）、トランジスタ２０をオンにして、充電器用端子５のＡＣアダプタＶプラス端子９からのＡＣアダプタ電力を充電回路２２に供給する。充電回路２２は、二次電池２３に対して充電開始する（ステップＳ６）。そして、ＵＳＢ通信を開始する（ステップＳ４）。
【００３５】
ステップＳ５で、充電器用端子５のＡＣアダプタＶプラス端子９の電圧が検出されなかった場合（ＮＯ）、これは、充電器２００にＡＣアダプタは接続されずに、データ装置のみが接続されていることを意味する。この場合、充電は行わずに、ＵＳＢ通信のみを開始する（ステップＳ４）。二次電池が消費されるが、ＵＳＢ通信を優先して行う。  
なお、ステップＳ５でＮＯの場合、充電は行われないので、二次電池の消費を避けるために、ＵＳＢ通信も行わない終了処理としてもよい。
【００３６】
ステップＳ１で、ＡＲＩＢ−Ａコネクタ３のＵＳＢ−ＶＢＵＳ端子１３の電圧が検出されなかった場合（ＮＯ）、これは、ＡＲＩＢ−Ａコネクタ３とデータ装置とのＵＳＢ接続、および充電器用端子５とデータ装置とのＵＳＢ接続もないことを意味する。その場合、ＡＣアダプタによる充電目的のためだけに携帯端末１００が充電器２００に置かれた可能性もあるので、充電器用端子５のＡＣアダプタＶプラス端子９の電圧をチェックする（ステップＳ７）。
【００３７】
この電圧が検出されれば（ＹＥＳ）、トランジスタ２０をオンにして、充電器用端子５のＡＣアダプタＶプラス端子９からのＡＣアダプタ電力を充電回路２２に供給する。充電回路２２は、二次電池２３に対して充電開始する（ステップＳ７）。この場合は、ＵＳＢ通信は行えない。ステップＳ７で電圧が検出されなければ（ＮＯ）、ＵＳＢ通信も充電も行わない終了処理を行う（ステップＳ９）。
【００３８】
なお、図３の処理がＵＳＢに関する処理のみとする場合は、ステップＳ１で、ＡＲＩＢ−Ａコネクタ３のＵＳＢ−ＶＢＵＳ端子１３の電圧が検出されなかった場合（ＮＯ）、ステップＳ７、Ｓ８の処理をせずに、即、終了処理（ステップＳ９）としてもよい。
【００３９】
本発明の実施例１によれば、ＵＳＢ通信とＵＳＢ充電ができるＵＳＢインターフェースを２個と、ＡＣアダプタ充電のインターフェースを備える携帯端末にあって、それぞれの接続状態に応じて、２系統のＵＳＢ通信、１系統のＵＳＢ充電、ＡＣアダプタ充電を行うことが可能となる。
【実施例２】
【００４０】
図４は、本発明の実施例２に係る携帯端末の関連部分の回路図である。実施例１の図２と同じ部分については同じ番号を付して、相違点を主に説明する。携帯端末１００は、新たに、トランジスタ２４を備える。また、充電電力制御部２１の処理が少し追加になる。
【００４１】
トランジスタ２４は、充電器用端子５のＵＳＢ−ＶＢＵＳ端子８からのＵＳＢ電力を充電回路２２へ供給するためのスイッチである。充電電力制御部２１は、充電器用端子５のＵＳＢ端子からのＵＳＢ電力供給を検出した時に、トランジスタ２４をオンにして充電回路２２へ充電用として供給する。
【００４２】
図５は、本発明の実施例２に係る携帯端末のＵＳＢ通信および充電モードにおける動作フローチャートである。実施例１の図３と同じ部分については同じ番号を付して、相違点を主に説明する。新たに、ステップＳ６１を追加する。
【００４３】
ステップＳ２で充電器用端子５のＵＳＢ−ＶＢＵＳ端子８の電圧が検出されて（ＹＥＳ）充電器用端子５のＵＳＢ接続が確定され、更に、ステップＳ５で、充電器用端子５のＡＣアダプタＶプラス端子９の電圧が検出されなかった場合（ＮＯ）、これは、充電器２００にＡＣアダプタは接続されずに、データ装置のみが接続されていることを意味する。
【００４４】
この場合、実施例１では充電は行わなかったが、実施例２では、トランジスタ２４をオンにして、充電器用端子５のＵＳＢ−ＶＢＵＳ端子８からのＵＳＢ電力を充電回路２２に供給する。充電回路２２は、二次電池２３に対して充電開始する（ステップＳ６１）。そして、ＵＳＢ通信を開始する（ステップＳ４）。
【００４５】
ステップＳ５で充電器用端子５のＡＣアダプタＶプラス端子９の電圧が検出された場合（ＹＥＳ）、これは、充電器２００にＡＣアダプタとデータ装置の両方が接続されていることを意味する。この場合、両者いずれからの電力でも充電可能だが、敢えて、トランジスタ２０をオンにして、充電器用端子５のＡＣアダプタＶプラス端子９からのＡＣアダプタ電力を充電回路２２に供給する（ステップＳ６）。これは、一般に、ＡＣアダプタ電力の方がＵＳＢ電力よりも大きいため、早く充電できるからである。
【００４６】
本発明の実施例２によれば、ＵＳＢ通信とＵＳＢ充電ができるＵＳＢインターフェースを２個と、ＡＣアダプタ充電のインターフェースを備える携帯端末にあって、それぞれの接続状態に応じて、２系統のＵＳＢ通信、２系統のＵＳＢ充電、ＡＣアダプタ充電を行うことが可能となる。
【００４７】
なお、各実施例において、第１コネクタとしてＡＲＩＢ−Ａコネクタ３を使用したが、ＵＳＢインターフェースを有するコネクタであれば何でもよい。また、携帯端末１００は、ＵＳＢ通信を行う携帯電話機、ＰＨＳ、ＰＤＡなどに適用できる。
【図面の簡単な説明】
【００４８】
【図１】本発明の各実施例に係る携帯端末および充電器の外観図。
【図２】本発明の実施例１に係る携帯端末の関連部分の回路図。
【図３】本発明の実施例１に係る携帯端末のＵＳＢ通信および充電モードにおける動作フローチャート。
【図４】本発明の実施例２に係る携帯端末の関連部分の回路図。
【図５】本発明の実施例２に係る携帯端末のＵＳＢ通信および充電モードにおける動作フローチャート。
【符号の説明】
【００４９】
１  上筐体
２  下筐体
３  ＡＲＩＢ−Ａコネクタ
４  キャップ
５  充電器用端子
６  ＵＳＢ−Ｄプラス端子
７  ＵＳＢ−Ｄマイナス端子
８  ＵＳＢ−ＶＢＵＳ端子
９  ＡＣアダプタＶプラス端子
１０  ＡＣアダプタＶマイナス端子
１１  ＵＳＢ−Ｄプラス端子
１２  ＵＳＢ−Ｄマイナス端子
１３  ＵＳＢ−ＶＢＵＳ端子
１４  ＧＮＤ端子
１５  ダイオード
１６  電源回路
１７  ＵＳＢトランシーバ
１８  ＵＳＢ通信制御部
１９  トランジスタ
２０  トランジスタ
２１  充電電力制御部
２２  充電回路
２３  二次電池
２４  トランジスタ
３１  ＰＣ接続用コネクタ
３２  ＡＣアダプタ接続用コネクタ
３６  ＵＳＢ−Ｄプラス端子
３７  ＵＳＢ−Ｄマイナス端子
３８  ＵＳＢ−ＶＢＵＳ端子
３９  ＡＣアダプタＶプラス端子
４０  ＡＣアダプタＶマイナス端子
１００  携帯端末
２００  充電器
【図１】
2008027147.tif 000003
【図２】
2008027147.tif 000004
【図３】
2008027147.tif 000005
【図４】
2008027147.tif 000006
【図５】
2008027147.tif 000007